(57)【特許請求の範囲】
【請求項１】
光回線を用いて局側終端装置と加入者側終端装置とを接続したＰＯＮシステムであって、
前記加入者側終端装置は、
前記局側終端装置に上り制御信号を含む上り光信号を送信する上り光送信器と、
前記局側終端装置から下り制御信号を含む下り光信号を受信する下り光受信器と、
前記上り制御信号を生成する制御部であって、通常状態から前記上り光送信器および前記下り光受信器の両方が省電力状態である第１の省電力状態への遷移を前記下り制御信号に基づいて制御し、この第１の省電力状態から前記上り光送信器および前記下り光受信器の両方が起動しかつ部分的な省電力状態である起動状態への遷移をタイマに基づいて制御し、この起動状態から第１の省電力状態または通常状態への遷移を制御する第１の制御、ならびに、通常状態から前記上り光送信器が省電力状態で前記下り光受信器が動作状態である第２の省電力状態への遷移を前記下り制御信号に基づいて制御し、この第２の省電力状態から前記上り光送信器が起動しかつ部分的な省電力状態である起動状態への遷移をタイマに基づいて制御し、この起動状態から第２の省電力状態または通常状態への遷移を制御する第２の制御のいずれかを実行する制御部と、を備え、
前記局側終端装置は、
前記下り制御信号を生成する制御部と、
この制御部が生成した下り制御信号を含む下り光信号を前記加入者側終端装置に送信する下り光送信器と、
前記加入者側終端装置から前記上り制御信号を含む上り光信号を受信する上り光受信器と、を備えた、
ことを特徴とするＰＯＮシステム。
【請求項２】
前記加入者側終端装置の制御部は、起動状態から通常状態への遷移を前記下り制御信号に基づいて制御する、
ことを特徴とする請求項１に記載のＰＯＮシステム。
【請求項３】
前記加入者側終端装置の制御部のタイマは、前記下り制御信号に含まれるスリープ時間を計測することを特徴とする請求項１または２に記載のＰＯＮシステム。
【請求項４】
前記起動状態は、前記上り制御信号の処理に不要な構成および前記下り制御信号の処理に不要な構成の一部または全部を省電力状態とする第３の省電力状態であることを特徴とする請求項１、２または３に記載のＰＯＮシステム。
【請求項５】
局側終端装置に光回線を介して接続可能な加入者側終端装置であって、
前記局側終端装置に上り制御信号を含む上り光信号を送信する上り光送信器と、
前記局側終端装置から下り制御信号を含む下り光信号を受信する下り光受信器と、
前記上り制御信号を生成する制御部であって、通常状態から前記上り光送信器および前記下り光受信器の両方が省電力状態である第１の省電力状態への遷移を前記下り制御信号に基づいて制御し、この第１の省電力状態から前記上り光送信器および前記下り光受信器の両方が起動しかつ部分的な省電力状態である起動状態への遷移をタイマに基づいて制御し、この起動状態から第１の省電力状態または通常状態への遷移を制御する第１の制御、ならびに、通常状態から前記上り光送信器が省電力状態で前記下り光受信器が動作状態である第２の省電力状態への遷移を前記下り制御信号に基づいて制御し、この第２の省電力状態から前記上り光送信器が起動しかつ部分的な省電力状態である起動状態への遷移をタイマに基づいて制御し、この起動状態から第２の省電力状態または通常状態への遷移を制御する第２の制御のいずれかを実行する制御部と、
を備えたことを特徴とする加入者側終端装置。
【請求項６】
前記制御部は、起動状態から通常状態への遷移を前記下り制御信号に基づいて制御することを特徴とする請求項５に記載の加入者側終端装置。
【請求項７】
前記制御部のタイマは、前記下り制御信号に含まれるスリープ時間を計測することを特徴とする請求項５または６に記載の加入者側終端装置。
【請求項８】
前記起動状態は、前記上り制御信号の処理に不要な構成および前記下り制御信号の処理に不要な構成の一部または全部を省電力状態とする第３の省電力状態であることを特徴とする請求項５、６または７に記載の加入者側終端装置。
【請求項９】
請求項５〜８のいずれか１項に記載の加入者側終端装置に光回線を介して接続可能な局側終端装置であって、
前記下り制御信号を生成する制御部と、
この制御部が生成した下り制御信号を含む下り光信号を前記加入者側終端装置に送信する下り光送信器と、
前記加入者側終端装置から前記上り制御信号を含む上り光信号を受信する上り光受信器と、
を備えたことを特徴とする局側終端装置。
【請求項１０】
光回線を用いて局側終端装置と加入者側終端装置とを接続し、
前記加入者側終端装置は、
前記局側終端装置に上り制御信号を含む上り光信号を送信する上り光送信器と、
前記局側終端装置から下り制御信号を含む下り光信号を受信する下り光受信器と、
を備えたＰＯＮシステムの制御装置であって、
通常状態から前記上り光送信器および前記下り光受信器の両方が省電力状態である第１の省電力状態への遷移を前記下り制御信号に基づいて制御し、この第１の省電力状態から前記上り光送信器および前記下り光受信器の両方が起動しかつ部分的な省電力状態である起動状態への遷移をタイマに基づいて制御し、この起動状態から第１の省電力状態または通常状態への遷移を制御する第１の制御、ならびに、通常状態から前記上り光送信器が省電力状態で前記下り光受信器が動作状態である第２の省電力状態への遷移を前記下り制御信号に基づいて制御し、この第２の省電力状態から前記上り光送信器が起動しかつ部分的な省電力状態である起動状態への遷移をタイマに基づいて制御し、この起動状態から第２の省電力状態または通常状態への遷移を制御する第２の制御のいずれかを実行する、
ことを特徴とする制御装置。
【請求項１１】
局側終端装置が光回線により加入者側終端装置に接続されたＰＯＮシステムにおけるパワーセーブ方法であって、
前記局側終端装置から下り制御信号を含む下り光信号を下り光受信器により受信する第１のステップと、
前記局側終端装置に上り制御信号を含む上り光信号を上り光送信器により送信する第２のステップと、を含むパワーセーブ方法であって、
通常状態から前記上り光送信器および前記下り光受信器の両方が省電力状態である第１の省電力状態への遷移を前記下り制御信号に基づいて制御する第３のステップと、
この第１の省電力状態から前記上り光送信器および前記下り光受信器の両方が起動しかつ部分的な省電力状態である起動状態への遷移をタイマに基づいて制御する第４のステップと、
この起動状態から第１の省電力状態または通常状態への遷移を制御する第５のステップと、を含む第１の制御、ならびに、
通常状態から前記上り光送信器が省電力状態で前記下り光受信器が動作状態である第２の省電力状態への遷移を前記下り制御信号に基づいて制御する第６のステップと、
この第２の省電力状態から前記上り光送信器が起動しかつ部分的な省電力状態である起動状態への遷移をタイマに基づいて制御する第７のステップと、
この起動状態から第２の省電力状態または通常状態への遷移を制御する第８のステップと、
を含む第２の制御のいずれかを実行する、
ことを特徴とするパワーセーブ方法。
【請求項１２】
第４のステップの後に前記局側終端装置から下り制御信号を含む下り光信号を前記下り光受信器により受信する第９のステップ、を含み、
第５のステップでは、起動状態から通常状態への遷移を第９のステップによる前記下り制御信号に基づいて制御するか、もしくは、
第７のステップの後に前記局側終端装置から下り制御信号を含む下り光信号を前記下り光受信器により受信する第１０のステップ、を含み、
第８のステップでは、起動状態から通常状態への遷移を第１０のステップによる前記下り制御信号に基づいて制御する、
ことを特徴とする請求項１１に記載のパワーセーブ方法。
【請求項１３】
第４のステップもしくは第７のステップの前記タイマは、第１のステップによる前記下り制御信号に含まれるスリープ時間を計測することを特徴とする請求項１１または１２に記載のパワーセーブ方法。
【請求項１４】
第４のステップもしくは第７のステップの前記起動状態は、上り制御信号の処理に不要な構成および下り制御信号の処理に不要な構成の一部または全部を省電力状態とする第３の省電力状態であることを特徴とする請求項１１、１２または１３に記載のパワーセーブ方法。
【発明の詳細な説明】
【技術分野】
【０００１】
本発明は、ＯＬＴ（Optical  Line  Terminal：局側終端装置）と複数のＯＮＵ（Optical  Network  Unit：加入者側終端装置）とで構成されるＰＯＮ（Passive  Optical  Network）システムに関する。
【背景技術】
【０００２】
ＰＯＮシステムでは、ＯＮＵから送信される上り方向のデータが衝突しないようにＯＬＴとＯＮＵ間で同期をとりながら通信を行う。ＯＬＴは、上り方向のデータが衝突しないよう各ＯＮＵに対する送信許可を与えるように計画する。この際、各ＯＮＵとの間の距離による遅延を考慮する。そのため、ＯＬＴは、各ＯＮＵとの間のラウンドトリップタイムを計測するが、光ファイバによる伝送ではジッタやワンダなどの伝送路の変動があるため、周期的に計測を行う必要がある。
【０００３】
一方、データ通信は常時行われているわけではなく、たとえば夜間などは全くデータ通信が行われない。しかし、ラウンドトリップタイムの計測は、上記のようにデータ通信の有無に関わらず周期的に行われている。データ通信が行われない場合にも、ラウンドトリップタイムの計測のためにＯＮＵを常時通信可能な状態としておくことは電力を浪費することになる。そのため、ＯＮＵから省電力状態への移行を要求することにより、ＯＮＵを間欠的に省電力状態に遷移させる技術が検討されている（たとえば、非特許文献１参照）。
【先行技術文献】
【非特許文献】
【０００４】
【非特許文献１】ITU−T（International  Telecommunication  Union  Telecommunication  standardization  sector）  SG15Q2  Intended  type  of  document（Ｒ−Ｃ−ＴＤ）：ＧＲ−４，“ONU  power−save  annex”，ＰＭＣ−Sierra，Ａｐｒｉｌ  ２００８
【発明の概要】
【発明が解決しようとする課題】
【０００５】
上記非特許文献１に記載の技術によれば、ＯＮＵは間欠的に省電力状態に入る。ＯＬＴはＯＮＵから省電力状態への移行要求があると省電力状態を継続する時間を指定し、ＯＮＵはその指定された時間だけ省電力状態となる。また、省電力状態にあるＯＮＵ宛の送信データ（下りデータ）が発生した場合には、その下りデータを省電力状態が終了した後に送信する。ＯＮＵは下りデータの有無を事前に把握できないため、実際にはＯＬＴからの下りデータが存在しない場合でも、１回の省電力状態が終了した時点（リフレッシュ時間）で、下りデータ用のバッファを省電力状態から復帰させ、下りデータを受信できる状態（通常状態）となる必要がある。そのため、下りデータが存在しない場合にＯＮＵが不要な電力を消費する、という問題がある。
【０００６】
本発明は、上記に鑑みてなされたものであって、ＯＮＵの消費電力を低減することができるＰＯＮシステムおよびパワーセーブ方法を得ることを目的とする。
【課題を解決するための手段】
【０００７】
上述した課題を解決し、目的を達成するために、本発明は、光回線を用いて局側終端装置と加入者側終端装置とを接続したＰＯＮシステムであって、前記加入者側終端装置は、前記局側終端装置に上り制御信号を含む上り光信号を送信する上り光送信器と、前記局側終端装置から下り制御信号を含む下り光信号を受信する下り光受信器と、前記上り制御信号を生成する制御部であって、通常状態から前記上り光送信器および前記下り光受信器の両方が省電力状態である第１の省電力状態への遷移を前記下り制御信号に基づいて制御し、この第１の省電力状態から前記上り光送信器および前記下り光受信器の両方が起動しかつ部分的な省電力状態である起動状態への遷移をタイマに基づいて制御し、この起動状態から第１の省電力状態または通常状態への遷移を制御する第１の制御、ならびに、通常状態から前記上り光送信器が省電力状態で前記下り光受信器が動作状態である第２の省電力状態への遷移を前記下り制御信号に基づいて制御し、この第２の省電力状態から前記上り光送信器が起動しかつ部分的な省電力状態である起動状態への遷移をタイマに基づいて制御し、この起動状態から第２の省電力状態または通常状態への遷移を制御する第２の制御のいずれかを実行する制御部と、を備え、前記局側終端装置は、前記下り制御信号を生成する制御部と、この制御部が生成した下り制御信号を含む下り光信号を前記加入者側終端装置に送信する下り光送信器と、前記加入者側終端装置から前記上り制御信号を含む上り光信号を受信する上り光受信器と、を備えた、ことを特徴とする。
【発明の効果】
【０００８】
本発明にかかるＰＯＮシステム、加入者側終端装置、局側終端装置、制御装置およびパワーセーブ方法は、加入者側終端装置の消費電力を低減することができる、という効果を奏する。
【図面の簡単な説明】
【０００９】
【図１】図１は、本発明にかかるＰＯＮシステムの実施の形態１の構成例を示す図である。
【図２】図２は、実施の形態１の省電力制御手順の一例を示すシーケンス図である。
【図３】図３は、実施の形態１の省電力制御手順の別の一例を示すシーケンス図である。
【図４】図４は、「Sleep  mode  change  acknowledge」メッセージと「Sleep」メッセージのフォーマットを示す図である。
【図５】図５は、「Sleep  mode  change  acknowledge」メッセージと「Sleep」メッセージのフォーマットを示す図である。
【図６】図６は、「Sleep  mode  change  acknowledge」メッセージと「Sleep」メッセージのフォーマットを示す図である。
【図７】図７は、「Sleep  mode  change  request」メッセージのフォーマットを示す図である。
【図８】図８は、「Sleep  mode  change  request」メッセージのフォーマットを示す図である。
【図９】図９は、拡張ＭＡＣコントロールメッセージのフォーマットを示す図である。
【図１０】図１０は、実施の形態１のＯＬＴの省電力制御手順の一例を示すフローチャートである。
【図１１】図１１は、実施の形態１のＯＮＵが実施する省電力制御手順の一例を示すフローチャートである。
【図１２】図１２は、実施の形態２のＰＯＮシステムの省電力制御手順の一例を示すシーケンス図である。
【図１３】図１３は、実施の形態２の省電力制御手順の別の一例を示すシーケンス図である。
【図１４】図１４は、実施の形態２のＯＬＴが実施する省電力制御手順の一例を示すフローチャートである。
【図１５】図１５は、実施の形態２のＯＮＵが実施する省電力制御手順の一例を示すフローチャートである。
【発明を実施するための形態】
【００１０】
以下に、本発明にかかるＰＯＮシステムおよびパワーセーブ方法の実施の形態を図面に基づいて詳細に説明する。なお、この実施の形態によりこの発明が限定されるものではない。
【００１１】
実施の形態１．
図１は、本発明にかかるＰＯＮシステムの実施の形態１の構成例を示す図である。図１に示すように、本実施の形態のＰＯＮシステムは、ＯＬＴ１と、ＯＮＵ１０−１〜１０−３と、で構成される。ＯＬＴ１とＯＮＵ１０−１〜１０−３はスプリッタ４０を介して加入者線３０で接続されている。スプリッタ４０は、ＯＬＴ１に接続する加入者線３０をＯＮＵ１０−１〜１０−３の数に分岐する。また、ＯＮＵ１０−１は、端末２０−１および２０−２に接続している。なお、ここではＯＮＵを３台とした例を示しているが、ＯＮＵの台数はこれに限らず何台でもよい。
【００１２】
ＯＬＴ１は、ＰＯＮプロトコルに基づいてＯＬＴ側の処理を実施するＰＯＮ制御部２と、ＯＮＵ１０−１〜１０−３から受信する上りデータを格納するためのバッファである受信バッファ３と、ＯＮＵ１０−１〜１０−３へ送信する下りデータを格納するためのバッファである送信バッファ４と、光信号の送受信処理を行う光送受信器５と、上りデータと下りデータを波長多重するＷＤＭ（Wavelength  Division  Multiplexing）カプラ（ＷＤＭ）６と、ネットワークとの間でＮＮＩ（Network  Node  Interface）の物理インタフェース機能を実現する物理層処理部（ＰＨＹ）７と、で構成される。光送受信器５は、受信処理を行う光受信器（Ｒｘ：Receiver）５１と、送信処理を行う光送信器（Ｔｘ：Transmitter）５２と、で構成される。
【００１３】
ＯＮＵ１０−１は、ＰＯＮプロトコルに基づいてＯＮＵ側の処理を実施するＰＯＮ制御部１１と、ＯＬＴ１への送信データ（上りデータ）を格納するためのバッファである送信バッファ（上りバッファ）１２と、ＯＬＴ１からの受信データ（下りデータ）を格納するためのバッファである受信バッファ（下りバッファ）１３と、光送受信器１４と、上りデータと下りデータを波長多重するＷＤＭ１５と、端末２０−１，２０−２との間で、それぞれＵＮＩ（User  Network  Interface）の物理インタフェース機能を実現する物理層処理部（ＰＨＹ）１６−１，１６−２と、で構成される。
【００１４】
光送受信器１４は、送信処理を行う光送信器（Ｔｘ：Transmitter）１４１と、受信処理を行う光受信器（Ｒｘ：Receiver）１４２と、で構成される。ＰＨＹ１６−１は、受信処理を行う受信部（Ｒｘ：Receiver）１６１−１と、送信処理を行う送信部（Ｔｘ：Transmitter）１６２−１と、で構成され、ＰＨＹ１６−２は、受信処理を行う受信部（Ｒｘ：Receiver）１６１−２と、送信処理を行う送信部（Ｔｘ：Transmitter）１６２−２と、で構成される。
【００１５】
なお、ＯＮＵ１０−１に接続される端末を２台としているが、端末の数はこれに限らず、何台でもよく、端末の数に応じた物理層処理部（ＰＨＹ）を備えることとする。また、図１では代表としてＯＮＵ１０−１の構成例を示したが、ＯＮＵ１０−２，１０−３もＯＮＵ１０−１と同様の構成である。
【００１６】
本実施の形態では、ＯＬＴ１のＰＯＮ制御部２が、従来のＰＯＮシステムと同様に、ＯＮＵ１０−１〜１０−３に対して送信時間帯が重ならないようにそれぞれ送信許可を与えるように上りデータの帯域割り当てを行い、ＯＮＵ１０−１〜１０−３の送信データの衝突を防いでいる。この帯域割り当てとしては、どのような方法を用いてもよいが、たとえば、「Su-il  Choi  and  Jae-doo著，“HuhDynamic  Bandwidth  Allocation  Algorithm  for  Multimedia  Services  over  Ethernet（登録商標）  PONs”，ETRI  Journal，Volume  24，Number  6，December  2002  ｐ．４６５〜ｐ．４６６」に記載されているDynamic  Bandwidth  Allocation  Algorithm等を用いることができる。
【００１７】
つぎに、本実施の形態のＯＬＴ１とＯＮＵ１０−１〜１０−３の全体動作を説明する。ＰＯＮ制御部２は、ＰＨＹ７経由でネットワークから受信した下りデータ（下り通信データ）を送信バッファ４に格納する。ＯＬＴ１からデータを送信する際には、ＰＯＮ制御部２が、送信バッファ４に格納されている下りデータを読み出して光送受信器５に出力し、光送受信器５のＴｘ５２が送信データを光信号としてＷＤＭ６へ出力し、ＷＤＭ６が光送受信器５から出力される光信号に対して波長多重を行い、加入者線３０経由でＯＮＵ１０−１〜１０−３へ下り信号として出力する。また、ＰＯＮ制御部２が、送信許可の指示を送信する送信許可信号等の制御メッセージを送信する場合には、ＰＯＮ制御部２が生成した制御メッセージを光送受信器５に出力し、以下、下りデータと同様にＯＮＵ１０−１〜１０−３へ送信する。なお、図１のＰＯＮシステムでは、波長多重を行うためＷＤＭ６，１５を用いているが、単一波長で通信する場合には、ＷＤＭ６、１５は必須ではない。
【００１８】
ＯＮＵ１０−１〜１０−３では、ＯＬＴ１から下り信号を受信すると、ＷＤＭ１５が下り信号を分離して光送受信器１４へ出力し、光送受信器１４のＲｘ１４２が下り信号を電気信号の下りデータに変換してＰＯＮ制御部１１へ出力する。ＰＯＮ制御部１１は、光送受信器１４のＲｘ１４２から出力された下りデータを受信バッファ１３に格納する。ＰＯＮ制御部１１は、受信バッファ１３に格納された下りデータを読み出してそのデータの宛先に応じてＰＨＹ１６−１，１６−２の両方または片方に出力する。下りデータを受け取ったＰＨＹ１６−１，１６−２は、下りデータに対して所定の処理を実施して、自身が接続する端末２０−１，２０−２へ送信する。
【００１９】
一方、ＯＮＵ１０−１〜１０−３から上りデータを送信する場合には、ＰＯＮ制御部１１は、端末２０−１，２０−２からＰＨＹ１６−１，１６−２経由で取得した上りデータを送信バッファ１２に格納する。そして、ＯＬＴ１から与えられた送信許可に基づいて送信バッファに格納した上りデータを読み出して光送受信器１４へ出力する。光送受信器１４のＴｘ１４１は、上りデータを光信号（上り信号）に変換し、ＷＤＭ１５，加入者線３０経由でＯＬＴ１に送信する。
【００２０】
ＯＬＴ１のＰＯＮ制御部２は、ＯＮＵ１０−１〜１０−３から加入者線３０，ＷＤＭ６，光送受信器５のＲｘ５１経由で受信した上りデータを受信バッファ３に格納する。また、ＰＯＮ制御部２は、受信バッファ３に格納した上りデータを読み出して、ＰＨＹ７経由でネットワークへ出力する。
【００２１】
また、ＯＮＵ１０−１〜１０−３は、ＯＬＴ１から制御メッセージについては、ＰＯＮ制御部１１が、ＷＤＭ１５および光送受信器１４のＲｘ１４２経由で受信し、制御メッセージの指示に基づいた動作の実施、制御メッセージに対する応答の生成などを行う。
【００２２】
つぎに、本実施の形態の省電力制御動作について説明する。本実施の形態では、ＯＬＴ１は、下りデータが存在しないＯＮＵ１０−１〜１０−３に対して、下りデータ処理を実施する構成要素を省電力状態とする下り省電力状態へ遷移するよう指示する。下り省電力状態への遷移を指示されたＯＮＵ１０−１〜１０−３は、下り省電力状態へ遷移する。
【００２３】
図２は、本実施の形態の省電力制御手順の一例を示すシーケンス図である。以下の説明では、ＯＬＴ１に接続するＯＮＵ１０−１〜１０−３を一般化して、ＯＮＵ＃ｉ（ｉ＝１，２，…，Ｎ：ＮはＯＮＵの台数）として表すこととする。ＯＮＵ＃ｉの構成は図１に示したＯＮＵ１０−１の構成と同様である。
【００２４】
まず、ＯＬＴ１のＰＯＮ制御部２は、送信バッファ４を参照してＯＮＵ＃ｉに対する下りデータが無いことを検出する（ステップＳ１）と、ＯＮＵ＃ｉに宛てた下り信号の送信を停止する（ステップＳ２）。これは、この後、ネットワークからＰＨＹ７経由で受信するＯＮＵ＃ｉ宛のデータを送信バッファ４に格納することを意味する。そして、ＯＬＴ１のＰＯＮ制御部２は、ＯＮＵ＃ｉに対して下り省電力状態（第１のスリープモード）への遷移を要求（或いは許可）する下り省電力状態遷移要求（許可）を送信する（ステップＳ３）。ＰＯＮ制御部２は、この下り省電力状態遷移要求に、下り省電力状態を継続する休眠時間（スリープ時間）ｔを含めて送信することとする。
【００２５】
ＯＬＴ１のＰＯＮ制御部２は、下り省電力状態遷移要求を送信した後に、ＯＮＵ＃ｉに対して送信許可を与えるための制御メッセージである送信許可信号を送信する（ステップＳ４）。この送信許可信号は、ＯＮＵ＃ｉが下り省電力状態遷移要求に対する応答を送信するために与える。
【００２６】
下り省電力状態遷移要求を受信したＯＮＵ＃ｉでは、ＰＯＮ制御部１１が、省電力状態遷移要求に対して要求を受け付けたことを示す応答である下り省電力状態遷移応答をＯＬＴ１へ送信する（ステップＳ５）。
【００２７】
下り省電力状態遷移応答を受信したＯＬＴ１では、ＰＯＮ制御部２が、スリープ時間ｔを計測するためのタイマをセットし（ステップＳ６）、ＯＮＵ＃ｉへの送信許可信号の発行を停止する（ステップＳ７）。そして、タイマが満了（ｔだけ時間が経過）する（ステップＳ８）と、送信バッファ４を参照してＯＮＵ＃ｉに対する下りデータの有無を検出し、下りデータが無いと検出すると（ステップＳ９）、ＯＮＵ＃ｉに宛てた下り信号の送信を停止する（ステップＳ１０）。そして、ＰＯＮ制御部２は、再び、下り省電力状態遷移要求を送信し（ステップＳ１１）、送信許可信号を送信する（ステップＳ１２）。
【００２８】
一方、下り省電力状態遷移要求を受信したＯＮＵ＃ｉでは、下り省電力状態遷移応答を送信すると、下り省電力状態遷移要求に含まれるスリープ時間ｔを計測するためのタイマをセットする（ステップＳ１３）。そして、受信バッファ１３を省電力状態に遷移させる（ステップＳ１４）。また、下り制御メッセージ受信処理部（光送受信器１４のＲｘ１４２，ＰＯＮ制御部１１の下り制御メッセージ処理機能部分など）を省電力状態（下り省電力状態）に遷移させる（ステップＳ１５）。ステップＳ１４、ステップＳ１５で設定する下り省電力状態については、後述する。
【００２９】
ＯＮＵ＃ｉでは、ステップＳ１３でセットしたタイマが満了（ｔだけ時間が経過）する（ステップＳ１６）と、ステップＳ１５で省電力状態に遷移させた下り制御メッセージ受信処理部を省電力状態から通常状態に遷移させる（ステップＳ１７）。ここで、下り制御メッセージ受信処理部は制御メッセージを受信可能になるが、受信バッファ１４等の制御メッセージの受信時に稼働している必要のない一部の装置については省電力状態を継続しており、ＯＮＵ＃ｉは部分的な省電力状態（第２のスリープモード）に移行している。そして、ＯＮＵ＃ｉは、ステップＳ１１で送信された下り省電力状態遷移要求を受信すると、下り省電力状態遷移応答をＯＬＴ１へ送信する（ステップＳ１８）。
【００３０】
以上のステップＳ１３〜ステップＳ１８の処理を処理Ａとし、ＯＬＴ１がＯＮＵ＃ｉ宛の下りデータを検出しない（受信しない）間、処理Ａを繰り返す。これらの処理Ａを繰り返す間、下り制御メッセージ受信処理部については、スリープ時間ｔごとに、一旦通常状態に復帰するが、受信バッファ１４は継続して省電力状態とすることができる。
【００３１】
ここで、ＯＮＵ＃ｉの下り省電力状態について説明する。ステップＳ１４で受信バッファ１３を省電力状態に遷移させ、ステップＳ１５で下り制御メッセージ受信処理部を省電力状態へ遷移させたが、これら２つのステップで設定した省電力状態をＯＮＵ＃ｉの下り省電力状態とよぶこととする。また、受信バッファ１３と下り制御メッセージ受信処理部をあわせて下り信号処理手段と考えることができ、下り省電力状態は下り信号処理手段が省電力状態へ遷移している状態と考えることができる。
【００３２】
ステップＳ１４では、受信バッファ１３を省電力状態に遷移させ、ステップＳ１５では、下り制御メッセージ受信処理部を遷移させている。ステップＳ１５で省電力状態に遷移させる下り制御メッセージ受信処理部は、光送受信器１４のＲｘ１４２，ＰＯＮ制御部１１の制御メッセージ処理機能部分などのＯＬＴ１から送信される制御メッセージの処理に関わる構成要素である。上述のように、ＯＬＴ１がＯＮＵ＃ｉ宛の下りデータを検出しない状態がスリープ時間ｔ以上継続する場合も、ステップＳ１１でＯＬＴ１は次の下り省電力状態遷移要求を制御メッセージとして送信するため、ここでは、制御メッセージの処理に関わる部分と関わらない部分とに分けて省電力状態に遷移させている。
【００３３】
なお、図２の例では、ステップＳ１４とステップＳ１５に分けて省電力状態に遷移させたが、ステップを分けずに、同時に遷移させるようにしてもよい。ただし、その場合にも、下り制御メッセージ受信処理部については、タイマの満了後に通常状態に遷移させる。
【００３４】
また、ステップＳ１４では、受信バッファ１３だけでなく、ＰＨＹ１６−１のＴｘ１６２−１，ＰＨＹ１６−２のＴｘ１６２−２も省電力状態に遷移させるようにしてもよい。さらに、第２のスリープモードで省電力状態にする装置（信号処理手段）は、これらに限らず一部または全部の制御メッセージの受信処理に不要なものであれば、どのような装置を選択し、省電力状態に移行させるようにしてもよい。
【００３５】
下り省電力状態への遷移方法の具体例としては次のような方法がある。たとえば、受信バッファ１３がＤＤＲ（Double  Data  Rate）メモリで構成されている場合には、ＰＯＮ制御部１１は、メモリコントローラにコマンドを投入することによりＤＤＲメモリをｄｉｓａｂｌｅとする。また、ＰＯＮ制御部１１は、光送受信器１４のＲｘ１４２に対してパワーダウンまたはシャットダウンなどの指示を送信することによりＲｘ１４２を省電力状態とする。また、ＰＨＹ１６−１のＴｘ１６２−１，ＰＨＹ１６−２のＴｘ１６２−２に対しては、ＰＨＹ１６−１，ＰＨＹ１６−２が、例えばＩＥＥＥ８０２．３ａｚに規定されるパワーセーブモードをサポートしている場合には、「Ｌｏｗ  Ｐｏｗｅｒ  Ｉｄｌｅ」状態への移行を指示する。
【００３６】
図３は、本実施の形態の省電力制御手順の別の一例を示すシーケンス図である。ステップＳ１〜ステップＳ７は、図２の例のステップＳ１〜ステップＳ７と同様であるが、図３の例では、ステップＳ７の後に、ＯＬＴ１は、ネットワークからＰＨＹ７経由でＯＮＵ＃ｉ宛の送信データ（下りデータ）を受信し、送信バッファ４に格納する（ステップＳ２１）。すなわち、ＯＮＵ＃ｉは上り省電力状態であり、ＯＬＴ１がＯＮＵ＃ｉ宛の下りデータを送信してもＯＮＵ＃ｉが受信できる状態ではないため、ＯＬＴ１は、ＯＮＵ＃ｉ宛の下りデータをキューイングする。そして、ステップＳ６でセットしたタイマの計測が満了（ｔだけ時間が経過）する（ステップＳ８）と、ＰＯＮ制御部２は、下り省電力状態の終了を指示する下り省電力状態終了要求をＯＮＵ＃ｉへ送信する（ステップＳ２２）。また、ＰＯＮ制御部２は、送信許可信号をＯＮＵ＃ｉへ送信する（ステップＳ２３）。
【００３７】
一方、ＯＮＵ＃ｉでは、ステップＳ５の後、図２と同様に、ステップＳ１３〜ステップＳ１７の処理を実施する。そして、ＯＮＵ＃ｉのＰＯＮ制御部１１は、ステップＳ２２で送信された下り省電力状態終了要求を受信すると、受信バッファ１３に対して通常状態への復帰を指示することにより、受信バッファ１３を省電力状態から通常状態に遷移させる（ステップＳ２４）。なお、ここでは、受信バッファ１３を省電力状態とする例を示しているが、上述のようにＰＨＹ１６−１のＴｘ１６２−１，ＰＨＹ１６−２のＴＸ１６２−２も省電力状態としている場合には、これらについても通常状態に遷移させる。
【００３８】
そして、ＯＮＵ＃ｉのＰＯＮ制御部１１は、下り省電力状態終了要求に対する応答である下り省電力状態終了応答をＯＬＴ１に送信する（ステップＳ２５）。下り省電力状態終了応答を受信したＯＬＴ１では、ＰＯＮ制御部２が、送信バッファ４に格納されているＯＮＵ＃ｉ宛の下りデータを読み出し（ステップＳ２６）、読み出した下りデータをＯＮＵ＃ｉへ送信する（ステップＳ２７）。以降は、通常状態（通常モード）での通信が行われる。
【００３９】
以上説明したようなシーケンスにより、ＯＮＵ＃ｉの下り省電力状態の設定と解除が行われるが、ＯＬＴ１とＯＮＵ＃ｉ間で用いられる制御メッセージのフォーマットについて以下に補足説明する。
【００４０】
図４〜図６には、スリープモードの制御のための３つのＰＬＯＡＭ（Physical  Layer  Operation  and  Maintenance）メッセージが示されている。このうち２つのＰＬＯＡＭメッセージは、ＯＬＴからＯＮＵに送信されるメッセージであり、「Sleep  mode  change  acknowledge」メッセージと、「Sleep」メッセージである。残りの１つは、ＯＮＵからＯＬＴに送信される「Sleep  mode  change  request」メッセージである。
【００４１】
図４〜図６は、「Sleep  mode  change  acknowledge」メッセージと「Sleep」メッセージのフォーマットを示す図である。また、図７，８は、「Sleep  mode  change  request」メッセージのフォーマットを示す図である。
【００４２】
ＯＮＵが、自身の省電力状態（スリープモード）への移行を要求する「Sleep  mode  change  request」メッセージをＯＬＴに送信する。ＯＬＴは、「Sleep  mode  change  request」メッセージを受信すると、応答として、「Sleep  mode  change  acknowledge」メッセージを送信する。この「Sleep  mode  change  acknowledge」メッセージには、図８に示すように、FrameCounter1，FrameCounter4にスリープモードから復帰するまでのSuperFrameのカウンタ値（すなわちスリープモードから復帰するまでの時間に相当）が含まれている。
【００４３】
図４〜図８は、ＯＬＴとＯＮＵ間で同期を取る手段としてＰＬＯＡＭメッセージを使った例であるが、同様のパワーセーブ方式は、ＩＥＥＥ規格のＰＯＮシステムにも適用可能である。ＩＥＥＥ８０２．３ａｖではＰＬＯＡＭメッセージに相当する拡張ＭＡＣコントロールメッセージが規定されている。図９に拡張ＭＡＣコントロールメッセージを使用するときのメッセージフォーマット例を示す。ＯＬＴから要求するメッセージとして、下り省電力状態遷移要求と下り省電力状態終了要求を定義する。これらのメッセージに対しては、ＯＮＵは応答メッセージとしてメッセージ種別フィールドの最上位ビットを“１”として送信する。ＯＮＵから要求するメッセージとして省電力状態要求を定義する。要求メッセージのパラメータとして上りのみ、下りのみ、双方向を定義する。このメッセージに対してＯＬＴは応答メッセージとしてメッセージ種別フィールドの最上位ビットを“１”とし、パラメータとしてスリープ時間を指定する。
【００４４】
本実施の形態では、ＯＮＵからスリープモードへの移行を要求する手順に加えて、ＯＬＴ１からＯＮＵ＃ｉに対して省電力状態への移行を指示する。このため、上りデータのスリープモードの手順のみに比べ、下り方向の受信機器（例えば受信バッファ１３）を継続して省電力化することができ、より消費電力を低減することができる。
【００４５】
一方で、図２および図３で示したシーケンスで用いる制御メッセージのフォーマットとして、上記図４〜図９のメッセージフォーマットを用いてもよい。たとえば、ＯＬＴ１が送信する下り省電力状態遷移要求および下り省電力状態終了要求の制御メッセージとして、図４〜６に示した「Sleep  mode  change  acknowledge」メッセージのフォーマットまたはこれに準じるフォーマットを用いるようにしてもよい。たとえば、下り省電力状態遷移要求の場合には、７ＯｃｔｅｔのＰを“１”とし、下り省電力状態終了要求の場合には、７ＯｃｔｅｔのＰを“０”とする。ここでは，以降の説明には、図９に示すメッセージフォーマットを使う例を示す。
【００４６】
つぎに、ＯＬＴ１の省電力制御の詳細手順について説明する。図１０は、本実施の形態のＯＬＴ１が実施する省電力制御手順の一例を示すフローチャートである。
【００４７】
図１０に示すように、ＰＯＮ制御部２は、送信バッファ４を参照して、ＯＮＵ＃ｉ宛の下りデータ無しを検出したか否かを判断し（ステップＳ３１）、ステップＳ３１でＯＮＵ＃ｉ宛の下りデータ無しを検出しないと判断した場合（ステップＳ３１  Ｎｏ）は、ステップＳ３１へ戻る。
【００４８】
ステップＳ３１でＯＮＵ＃ｉ宛の下りデータがデータ無しを検出したと判断した場合（ステップＳ３１  Ｙｅｓ）は、ＰＯＮ制御部２は、ＯＮＵ＃ｉへの下り信号の送信を停止し（ステップＳ３２）、下り省電力状態遷移要求をＯＮＵ＃ｉへ送信する（ステップＳ３３）。次にＯＮＵ＃ｉへ送信許可信号を送信し（ステップＳ３４），ＯＮＵ＃ｉから下り省電力状態遷移応答を受信したか否かを判断する（ステップＳ３５）。ステップＳ３５で下り省電力状態遷移応答を受信していないと判断した場合（ステップＳ３５  Ｎｏ）は、ステップ３１に戻り、下り省電力状態遷移応答を受信した場合（ステップＳ３５  Ｙｅｓ）には、下り省電力状態遷移要求で指定したスリープ時間ｔを計測するためのタイマをセットし（ステップＳ３６）、ＯＮＵ＃ｉへの送信許可信号の発行を停止する（ステップ３７）。
【００４９】
ＰＯＮ制御部２は、ステップＳ３６でセットしたタイマが満了（ｔだけ時間が経過）したか否かを判断し（ステップＳ３８）、タイマが満了していないと判断した場合（ステップＳ３８  Ｎｏ）は、再びステップＳ３８を実施する。
【００５０】
タイマが満了したと判断した場合（ステップＳ３８  Ｙｅｓ）は、ＰＯＮ制御部２は、送信バッファ４を参照して、ＯＮＵ＃ｉ宛の下りデータ無しを検出したか否かを判断する（ステップＳ３９）。なお、ＯＮＵ＃ｉ宛の下りデータが有るか否かを判断する場合に、送信バッファ４上のデータを参照する方法は、この判断方法の一例であり、他の方法(例えば、データ送信要求、ネットワーク側からの通知等)によって判断しても構わない。
【００５１】
ステップＳ３９で、ＯＮＵ＃ｉ宛の下りデータ無しを検出しない場合（ステップＳ３９  Ｎｏ）は、下り省電力状態終了要求をＯＮＵ＃ｉに送信し（ステップＳ４０）、ＯＮＵ＃ｉへ送信許可信号を送信し（ステップＳ４１）、ＯＮＵ＃ｉから下り省電力状態終了応答を受信したか否かを判断する（ステップＳ４２）。ステップＳ４２で下り省電力状態終了応答を受信したと判断した場合（ステップＳ４２  Ｙｅｓ）は、ＯＮＵ＃ｉへの下り信号（下りデータを含む信号）の送信を再開する（ステップＳ４３）。一方、ステップＳ４２で下り省電力状態終了応答を受信していないと判断した場合（ステップＳ４２  Ｎｏ）は、ステップＳ４１へ戻る。また、ステップＳ３９で、ＯＮＵ＃ｉ宛の下りデータ無しを検出した場合（ステップＳ３９  Ｙｅｓ）は、ステップＳ３２へ戻る。
【００５２】
つぎに、ＯＮＵ＃ｉの省電力制御の詳細手順について説明する。図１１は、本実施の形態のＯＮＵ＃ｉが実施する省電力制御手順の一例を示すフローチャートである。ＯＮＵ＃ｉでは、ＰＯＮ制御部１１が、ＯＬＴ１から下り省電力状態遷移要求を受信したか否かを判断する（ステップＳ５１）。
【００５３】
ステップＳ５１で、ＯＬＴ１から下り省電力状態遷移要求を受信したと判断した場合（ステップＳ５１  Ｙｅｓ）、ＰＯＮ制御部１１は、送信許可信号を受信したか否かを判断する（ステップＳ５２）。ステップＳ５１で、ＯＬＴ１から下り省電力状態遷移要求を受信していないと判断した場合（ステップＳ５１  Ｎｏ）は、ステップＳ５１を再び実施する。
【００５４】
ステップＳ５２で送信許可信号を受信したと判断した場合（ステップＳ５２  Ｙｅｓ）、ＰＯＮ制御部１１は、ＯＬＴ１へ下り省電力状態遷移応答を送信し（ステップＳ５３）、下り省電力状態遷移要求で指定されたスリープ時間ｔを計測するためのタイマをセットする（ステップＳ５４）。
【００５５】
そして、ＰＯＮ制御部１１は、受信バッファ１３を省電力状態に遷移させ（ステップＳ５５）、また、下り制御メッセージ受信処理部を省電力状態に遷移させる（ステップＳ５６）。なお、ステップＳ５５では、上述のステップＳ１４と同様に、ＰＨＹ１６−１のＴｘ１６２−１，ＰＨＹ１６−２のＴｘ１６２−２も省電力状態に遷移させてもよい。
【００５６】
つぎに、ＰＯＮ制御部１１は、タイマが満了したか否かを判断し（ステップＳ５７）、満了していないと判断した場合（ステップＳ５７  Ｎｏ）、ステップＳ５７を再び実施する。タイマが満了したと判断した場合（ステップＳ５７  Ｙｅｓ）、下り制御メッセージ受信処理部を通常状態に遷移させる（ステップＳ５８）。
【００５７】
そして、ＰＯＮ制御部１１は、ＯＬＴ１から下り省電力状態終了要求を受信したか否かを判断し（ステップＳ５９）、受信していないと判断した場合（ステップＳ５９  Ｎｏ）、再びステップＳ５９を実施する。
【００５８】
ステップＳ５９でＯＬＴ１から下り省電力状態終了要求を受信したと判断した場合（ステップＳ５９  Ｙｅｓ）、ＰＯＮ制御部１１は、受信バッファ１３を通常状態に遷移させ（ステップＳ６０）、ＯＬＴ１に下り省電力状態終了応答を送信し（ステップＳ６１）、ステップＳ５１へ戻る。
【００５９】
なお、本実施の形態では、ＰＯＮ制御部１１が、受信バッファ１３および下り制御メッセージ受信処理部を省電力状態へ遷移させる（省電力状態へ移行するよう指示する）機能および通常状態に復帰させる機能、すなわち下り省電力制御手段としての機能を有するようにしたが、ＰＯＮ制御部１１と別に下り省電力制御手段（コントローラ）を備えるようにし、下り省電力制御手段が上述の省電力制御のＰＯＮ制御部１１が実施した処理の一部または全部を実施するようにしてもよい。
【００６０】
以上のように、本実施の形態では、ＯＬＴ１が、ＯＮＵ＃ｉへの下りデータが無い場合にＯＮＵ＃ｉに下り省電力状態遷移要求を送信し、下り省電力状態遷移要求を受信したＯＮＵ＃ｉは下り省電力状態に遷移するようにした。そのため、ＯＬＴ１からＯＮＵ＃ｉへの下りデータが存在しない期間、ＯＮＵ＃ｉは受信バッファ１３など下りデータの処理に必要な構成要素を省電力化することができ、従来に比べＯＮＵ＃ｉの消費電力を低下させることができる。
【００６１】
また、この実施の形態のＰＯＮシステムは、制御メッセージおよび下りデータの受信を休止する第１のスリープモードと、制御メッセージを受信可能に待機するとともに下りデータの受信処理を行わない第２のスリープモードを必要に応じて使い分けることができる。そのため、ＯＮＵ＃ｉが省電力状態にあるときに、間欠的に受信状態になる必要がある場合であっても、この受信状態における省電力が実現できる。
【００６２】
実施の形態２．
図１２は、本発明にかかるＰＯＮシステムの実施の形態２の省電力制御手順の一例を示すシーケンス図である。本実施の形態のＰＯＮシステムの構成は実施の形態１のＰＯＮシステムの構成と同様である。また、本実施の形態のＯＬＴおよびＯＮＵの構成も実施の形態１のＯＬＴ１およびＯＮＵ１０−１〜ＯＮＵ１０−３と同様である。以下、実施の形態１と異なる点について説明する。
【００６３】
実施の形態１では、ＯＬＴ１がＯＮＵ＃ｉ宛の下りデータが無い場合にＯＮＵ＃ｉに対して下り省電力状態遷移要求を送信するようにしたが、本実施の形態では、さらに、ＯＮＵ＃ｉが所定の条件を満たした場合に、ＯＬＴ１に対して上り省電力状態遷移要求を送信するようにする。
【００６４】
なお、実施の形態１では、ＯＮＵからスリープモードに遷移する要求、すなわち上り方向の通信にかかるスリープモードについて説明したが、実施の形態１では、ＯＮＵがどのようなときにスリープモードに遷移する要求を送信するか、すなわちスリープモードの遷移要求送信の契機については特定しなかった。本実施の形態では、この契機を具体的に説明し、ＯＮＵのスリープモードの遷移要求手順の実現化を図る。
【００６５】
本実施の形態では、ＯＮＵ＃ｉは、上りデータの有無を判断し、上りデータが無いと判断した場合に、上り省電力状態遷移要求を送信することとする。上りデータが無いと判断する際の判断条件としては、たとえば、自身に接続する端末（ここでは端末２０−１，２０−２とする）の全てが省電力状態に入ったことを、例えばＩＥＥＥ８０２．３ａｚに規定されるＬＰＩ受信などの方法で検出した場合、または、自身に接続する端末の全ての電源がＯＦＦされている（稼働していない）ことを検出した場合、または、自身に接続する端末から一定期間上りデータを受信しない場合、などを設定することができる。本実施の形態では、ＰＨＹ１６−１，１６−２がこれらの判断を実施し、判断結果をＰＯＮ制御部１１へ通知する。すなわち、本実施の形態では、ＰＨＹ１６−１，１６−２が端末２０−１，２０−２からの上りデータの有無を検出する上りデータ検出手段、としての機能を有する。
【００６６】
図１２を用いて、本実施の形態の省電力制御手順を説明する。まず、ＯＮＵ＃ｉでは、ＰＨＹ１６−１，１６−２が、上記の判断条件に基づいて上りデータが無いと判断し、その判断結果をＰＯＮ制御部１１へ通知する（ステップＳ７１）。ＰＯＮ制御部１１は、送信バッファ１２を省電力状態へ遷移させる（ステップＳ７２）。
【００６７】
つぎに、ＯＮＵ＃ｉのＰＯＮ制御部１１は、ＯＬＴ１から送信許可信号を受信する（ステップＳ７３）と、上り省電力状態遷移要求をＯＬＴ１へ送信する（ステップＳ７４）。
【００６８】
上り省電力状態遷移要求を受信したＯＬＴ１のＰＯＮ制御部２は、スリープ時間Ｔ（上り省電力状態の継続時間）を含めた上り省電力遷移応答をＯＮＵ＃ｉに送信する（ステップＳ７５）。そして、ＰＯＮ制御部２は、スリープ時間Ｔを計測するためのタイマをセットし（ステップＳ７６）、ＯＮＵ＃ｉへの送信許可信号の発行を停止する（ステップＳ７７）。その後、ＰＯＮ制御部２は、タイマが満了（Ｔだけ時間が経過する）する（ステップＳ７８）と、送信許可信号をＯＮＵ＃ｉへ送信する（ステップＳ７９）。
【００６９】
一方、上り省電力遷移応答を受信したＯＮＵ＃ｉでは、ＰＯＮ制御部１１が、上り省電力遷移応答に含まれるスリープ時間Ｔを計測するためのタイマをセットする（ステップＳ８０）。そして、ＰＯＮ制御部１１は、上り制御メッセージ送信処理部（光送受信器１４のＴｘ１４１，ＰＯＮ制御部１１の上り制御メッセージ処理機能部分など）を省電力状態に遷移させる（ステップＳ８１）。
【００７０】
なお、上り制御メッセージ送信処理部は、光送受信器１４のＴｘ１４１，ＰＯＮ制御部１１の上り制御メッセージ処理機能部分など、ＯＮＵ＃ｉがＯＬＴ１へ制御メッセージを送信するために必要な構成要素で構成される。また、送信バッファ１２と上り制御メッセージ送信処理部を省電力状態とした状態を上り省電力状態とよぶこととする。また、送信バッファ１２と上り制御メッセージ送信処理部をあわせて上り信号処理手段と考えることができ、上り省電力状態は上り信号処理手段が省電力状態へ遷移している状態と考えることができる。
【００７１】
その後、ＰＯＮ制御部１１は、タイマが満了（Ｔだけ時間が経過する）し（ステップＳ８２）、上り制御メッセージ送信処理部を通常状態に遷移させ（ステップＳ８３）、ステップＳ７９で送信された送信許可信号を受信すると、上り省電力状態遷移要求をＯＬＴ１へ送信する（ステップＳ８４）。
【００７２】
以上のステップＳ７５〜ステップＳ８４を処理Ｂとし、ＯＮＵ＃ｉが上りデータが無いと判断する間は、処理Ｂを繰り返して実施する。この処理Ｂを繰り返す間、上り制御メッセージ送信処理部はスリープ時間Ｔごとに一旦通常状態へ復帰するが、上り送信バッファ１２は省電力状態を継続することができる。
【００７３】
図１３は、本実施の形態の省電力制御手順の別の一例を示すシーケンス図である。まず、図１２で説明したステップＳ７１〜ステップＳ８１と同様に、ステップＳ７１〜ステップＳ８１を実施する。
【００７４】
図１３の例では、ＯＮＵ＃ｉでは、ステップＳ８１の後に、上りトラヒックが発生し、ＰＨＹ１６−１，１６−２が上りデータが有りと判断し、その判断結果をＰＯＮ制御部１１へ通知する（ステップＳ９１）。ＰＯＮ制御部１１は、送信バッファ１２を通常状態に遷移させ、端末２０−１，２０−２から受信した上りデータを送信バッファ１２に格納する（ステップＳ９２）。
【００７５】
そして、タイマが満了（Ｔだけ時間が経過する）し（ステップＳ８２）、ステップＳ７９で送信された送信許可信号を受信すると、ＰＯＮ制御部１１は、送信バッファ１２に格納された上りデータを読み出してＯＬＴ１へ送信する（ステップＳ９３）。以降は、通常の通信を実施する。
【００７６】
なお、上述した上り省電力状態遷移要求，上り省電力遷移応答の制御メッセージとしては、図９で示したものだけでなく、図７，図８で示した「Sleep  mode  change  request」メッセージ，図４〜図６で示した「Sleep  mode  change  acknowledge」メッセージをそれぞれ用いるようにしてもよい。ただし、実施の形態１の下り省電力状態の制御でもこれらのメッセージを用いる場合には、上りの省電力状態に関するメッセージであるか下りの省電力状態に関するメッセージであるかを識別するための情報をフォーマット中に含めておくこととする。
【００７７】
つぎに、ＯＬＴ１の省電力制御の詳細手順について説明する。図１４は、本実施の形態のＯＬＴ１が実施する省電力制御手順の一例を示すフローチャートである。図１４に示すようにＯＬＴ１のＰＯＮ制御部２は、従来のＰＯＮ制御と同様に各ＯＮＵへの送信許可を与える時間を計画し、ＯＮＵ＃ｉへ送信許可信号を送信する（ステップＳ１０１）。つぎに、ＰＯＮ制御部２は、ＯＮＵ＃ｉから上り省電力状態要求を受信したか否かを判断する（ステップＳ１０２）。
【００７８】
ステップＳ１０２でＯＮＵ＃ｉから上り省電力状態要求を受信していないと判断した場合（ステップＳ１０２  Ｎｏ）は、ステップＳ１０１へ戻る。ステップＳ１０２でＯＮＵ＃ｉから上り省電力状態要求を受信したと判断した場合（ステップＳ１０２  Ｙｅｓ）は、ＰＯＮ制御部２は、ＯＮＵ＃ｉへの送信許可信号の発行を停止する（ステップＳ１０３）。そして、ＰＯＮ制御部２は、スリープ時間Ｔを含む省電力状態遷移応答をＯＮＵ＃ｉへ送信し（ステップＳ１０４）、Ｔを計測するためのタイマをセットする（ステップＳ１０５）。
【００７９】
つぎに、ＰＯＮ制御部２は、タイマが満了（Ｔだけ時間が経過）したか否かを判断し（ステップＳ１０６）、タイマが満了したと判断した場合（ステップＳ１０６  Ｙｅｓ）は、ステップＳ１０１へ戻る。また、タイマが満了していないと判断した場合（ステップＳ１０６  Ｎｏ）は、ステップＳ１０６を再び実施する。
【００８０】
つぎに、ＯＮＵ＃ｉの省電力制御の詳細手順について説明する。図１５は、本実施の形態のＯＮＵ＃ｉが実施する省電力制御手順の一例を示すフローチャートである。ＯＮＵ＃ｉでは、ＰＨＹ１６−１，１６−２が、上記の上りデータ有無の判断条件に基づいて上りデータが無いか否かを判断し、その判断結果をＰＯＮ制御部１１へ通知する（ステップＳ１１１）。判断結果が上りデータが有ることを示す判断結果であった場合（ステップＳ１１１  Ｎｏ）、ＰＯＮ制御部１１は、送信バッファ１２を通常状態に遷移させる（ステップＳ１１４）。
【００８１】
送信バッファ１２が省電力状態であると判断した場合（ステップＳ１１２  Ｙｅｓ）、ＰＯＮ制御部１１は、送信バッファ１２を通常状態に遷移させる（ステップＳ１１３）。
【００８２】
一方、ステップＳ１１１で、上りデータが無しを検出した場合（ステップＳ１１１  Ｙｅｓ）、ＰＯＮ制御部１１は、送信バッファ１２が省電力状態であるか否かを判断する（ステップＳ１１２）。送信バッファ１２が省電力状態でないと判断した場合（ステップＳ１１２  Ｎｏ）、ＰＯＮ制御部１１は送信バッファ１２を省電力状態に遷移させ（ステップＳ１１３）、ステップＳ１１５に進む。
【００８３】
ステップＳ１１７で上り省電力状態のスリープ時間Ｔを計測するためのタイマがセットされていない場合、または、タイマが満了した場合（ステップＳ１１７  Ｎｏ）、ステップＳ１１１へ戻る。
【００８４】
ステップＳ１１５にて、ＰＯＮ制御部１１は、ＯＬＴ１から送信許可信号を受信したか否かを判断する（ステップＳ１１５）。送信許可信号を受信していないと判断した場合に（ステップＳ１１５  Ｎｏ）、ステップＳ１１１に戻る。
【００８５】
ステップＳ１１５で送信許可信号を受信したと判断した場合（ステップＳ１１５  Ｙｅｓ）、ＰＯＮ制御部１１は送信バッファ１２が省電力状態であるか否かを判断する（ステップＳ１１６）。送信バッファ１２が省電力状態でないと判断した場合（ステップＳ１１６  Ｎｏ）、ＰＯＮ制御部１１は送信バッファ１２にデータが格納されているか否かを判断する（ステップＳ１２３）。
【００８６】
ステップＳ１２３で送信バッファ１２にデータが格納されていると判断した場合（ステップＳ１２３  Ｙｅｓ）、ＰＯＮ制御部１１は、送信バッファ１２に格納されている上りデータをＯＬＴ１へ送信する（ステップＳ１２４）。ステップＳ１２３で送信バッファ１２にデータが格納されていないと判断した場合（ステップＳ１２３  Ｎｏ）、ステップＳ１１１に戻る。
【００８７】
また、ステップＳ１１６で送信バッファ１２が省電力状態であると判断した場合（ステップＳ１１６  Ｙｅｓ）、ＰＯＮ制御部１１はＯＬＴ１へ上り省電力状態遷移要求を送信する（ステップＳ１１７）。そして、ＰＯＮ制御部１１は、上り省電力状態遷移許可をＯＬＴ１から受信したか否かを判断し（ステップＳ１１８）、受信していないと判断した場合（ステップＳ１１８  Ｎｏ）は、ステップＳ１１１へ戻る。
【００８８】
ステップＳ１１８で上り省電力状態遷移許可をＯＬＴ１から受信したと判断した場合（ステップＳ１１８  Ｙｅｓ）、ＰＯＮ制御部１１は、上り制御メッセージ送信処理部を省電力状態へ遷移させ（ステップＳ１１９）、上り省電力状態遷移応答に含まれるスリープ時間Ｔを計測するためのタイマをセットし（ステップＳ１２０）、ステップＳ１２１へ進み、ＰＯＮ制御部１１は上り省電力状態のスリープ時間Ｔを計測するためのタイマが満了したか否かを判断する（ステップＳ１２１）。ステップＳ１２１で上り省電力状態のスリープ時間Ｔを計測するためのタイマが満了していない場合（ステップＳ１２１  Ｎｏ），ステップ１２１に戻る。ステップＳ１２１で上り省電力状態のスリープ時間Ｔを計測するためのタイマが満了した場合（ステップＳ１２１  Ｙｅｓ）ＰＯＮ制御部１１は、上り制御メッセージ送信処理部を通常状態へ遷移させる（ステップＳ１２２）。
【００８９】
なお、以上の説明では、上り省電力状態遷移の契機と下り省電力状態遷移の契機が異なるため、実施の形態１の下り省電力状態遷移の制御と本実施の形態の上り省電力状態遷移の制御を独立して行う例を説明したが、たとえば、ＯＮＵ＃ｉに接続する端末が障害などにより全てＯＦＦされた場合には、両方向の省電力状態遷移を同時に実施することも考えられる。このような場合、ＯＮＵから、上り省電力状態遷移要求を送信するとともに、下り省電力状態遷移要求を送信するようにし、その後は、実施の形態１と同様の手順で下り省電力状態へ移行する。なお、ＯＮＵは、上り省電力状態遷移要求と下り省電力状態遷移要求を同時に送信せず、独立に送信するようにしてもよい。
【００９０】
また、さらに、ＯＮＵ＃ｉが下り省電力状態となっている間にＯＬＴ１に到着したＯＮＵ＃ｉ宛の下りデータを送信バッファ４に格納せず破棄するようにしてもよい。この場合、たとえば、ＯＮＵから送信する下り省電力状態遷移要求に下りデータの破棄の可否を示す情報を含めるようにしておき、ＯＬＴ１がその情報に基づいて破棄するか格納するかを判断するようにする。
【００９１】
なお、以上の説明では、実施の形態１の下り省電力状態遷移の制御と本実施の形態の上り省電力状態遷移の制御の両方を行うようにしたが、本実施の形態で説明した上り省電力状態遷移の制御のみを実施するようにしてもよい。
【００９２】
なお、本実施の形態では、ＰＯＮ制御部１１が、送信バッファ１２および上り制御メッセージ受信処理部を省電力状態へ遷移させる（省電力状態へ移行するよう指示する）機能および通常状態に復帰させる機能、すなわち上り省電力制御手段としての機能を有するようにしたが、ＰＯＮ制御部１１と別に上り省電力制御手段を備えるようにし、上り省電力制御手段が上述の省電力制御のＰＯＮ制御部１１が実施した処理の一部または全部を実施するようにしてもよい。
【００９３】
以上のように、本実施の形態では、ＯＮＵ＃ｉのＰＨＹ１６−１，１６−２が端末から送信される上りデータが無いと判断した場合に送信バッファ１２を省電力状態へ遷移させ、ＯＬＴ１へ上り省電力状態遷移要求を送信し、ＯＬＴ１がＯＮＵ＃ｉの上り省電力状態への遷移を許可する上り省電力状態遷移応答を送信するようにした。そして、ＯＮＵ＃ｉでは、省電力状態遷移応答を受信すると上り制御メッセージ送信部を省電力状態へ遷移させるようにした。そのため、ＯＮＵ＃ｉでは、実施の形態１の効果を実現できるとともに、さらに上り方向の通信についても消費電力を低減することができる。
【産業上の利用可能性】
【００９４】
以上のように、本発明にかかるＰＯＮシステムおよびパワーセーブ方法は、省電力化を測るＰＯＮシステムに有用であり、特に、通信データが存在しない状態が長時間継続する可能性があるＰＯＮシステムに適している。
【符号の説明】
【００９５】
１  ＯＬＴ、２  ＰＯＮ制御部、３，１３  受信バッファ、４，１２  送信バッファ、５，１４  光送受信器、６  ＷＤＭ、７  ＰＨＹ、１０−１〜１０−３  ＯＮＵ、１１  ＰＯＮ制御部、２０−１，２０−２  端末、３０  加入者線、４０  スプリッタ、５１，１４２，１６１−１，１６１−２  Ｒｘ、５２，１４１，１６２−１，１６２−２  Ｔｘ。
【図１】
0005607206.tif 000002
【図２】
0005607206.tif 000003
【図３】
0005607206.tif 000004
【図４】
0005607206.tif 000005
【図５】
0005607206.tif 000006
【図６】
0005607206.tif 000007
【図７】
0005607206.tif 000008
【図８】
0005607206.tif 000009
【図９】
0005607206.tif 000010
【図１０】
0005607206.tif 000011
【図１１】
0005607206.tif 000012
【図１２】
0005607206.tif 000013
【図１３】
0005607206.tif 000014
【図１４】
0005607206.tif 000015
【図１５】
0005607206.tif 000016